(57)【要約】【課題】用紙を両側からガイドするガイド部材を備えていても、これらを容易に着脱可能なプリンタを提供する。【解決手段】プリンタ１０は、用紙１が搬送される搬送路において、用紙１の第１の面側をガイドする第１のガイド部材８１と、用紙１が搬送される搬送路において、第１のガイド部材８１と対向する位置に配置され、用紙１の第２の面側をガイドする第２のガイド部材８２と、を備え、第１のガイド部材８１及び第２のガイド部材８２は、用紙１の搬送面に平行な方向であって、かつ、用紙１の搬送方向に直交する方向である着脱方向に移動させることにより着脱自在に設けられている。【選択図】図２
2013156505.tif 000002
【特許請求の範囲】
【請求項１】
用紙が搬送される搬送路において、前記用紙の第１の面側をガイドする第１のガイド部材と、
用紙が搬送される搬送路において、前記第１のガイド部材と対向する位置に配置され、前記用紙の第２の面側をガイドする第２のガイド部材と、
を備え、
前記第１のガイド部材及び前記第２のガイド部材は、前記用紙の搬送面に平行な方向であって、かつ、前記用紙の搬送方向に直交する方向である着脱方向に移動させることにより着脱自在に設けられていること、
を特徴とするプリンタ。
【請求項２】
請求項１に記載のプリンタにおいて、
前記第１のガイド部材及び前記第２のガイド部材は、前記着脱方向の一端側に、当該プリンタに対して係合する係合部を有し、
他端側に、当該プリンタに対して固定される留め部が設けられていること、
を特徴とするプリンタ。
【請求項３】
請求項２に記載のプリンタにおいて、
前記留め部は、固定状態と固定解除状態とを工具を使わずに切り替え可能な操作部を備えていること、
を特徴とするプリンタ。
【発明の詳細な説明】
【技術分野】
【０００１】
本発明は、用紙を連続的に搬送して印刷を行うラベルプリンタ等のプリンタに関するものである。
【背景技術】
【０００２】
従来から、複数のサーマルヘッド、例えば、４つのサーマルヘッドを備える熱転写ラベルプリンタが提供されている。プリンタでは、搬送される用紙が詰まったりした場合には、それを容易に取り除いたり、用紙詰まりによって汚れた部分を容易に清掃できたりすることが望ましい。
【０００３】
しかし、上述した熱転写ラベルプリンタのように、複数の印刷ヘッドを備えたプリンタでは、隣り合う印刷ヘッド間で搬送される用紙の周囲に印刷ヘッドやインクリボン、プラテンローラ等が隣り合う２組配置されている。したがって、このような場所で搬送される用紙が詰まったりした場合には、周囲から紙詰まり箇所に手が届きにくく、紙詰まりの解消や清掃が困難であった。
【０００４】
また、用紙の搬送を円滑に行うために、用紙をガイドするガイド部材が用紙を両側から挟み込むようにして配置される場合もあるが、それらを配置しても、用紙の詰まり等を完全に防止することはできない。用紙をガイドするガイド部材が用紙を両側から挟み込むようにして配置されている場合には、紙詰まりを解消したり、清掃したりするときに、少なくとも２つのガイド部材を取り外す必要がある。
【０００５】
しかし、従来、ガイド部材は、ビス等により固定されており、用紙詰まりが生じる度に、ドライバ等の工具を用いてガイド部材を取り外さなければならず、作業が繁雑であった。
【０００６】
特許文献１には、用紙ガイド部材が着脱可能に取り付けられている携帯型電子機器が開示されている。
【先行技術文献】
【特許文献】
【０００７】
【特許文献１】特開２００５−２８８９９２号公報
【発明の概要】
【発明が解決しようとする課題】
【０００８】
しかし、特許文献１に開示されている用紙ガイド部材は、ロール状の用紙の外周を一方側から覆うようにして形成されているものであり、上記問題を解決できるものではなかった。
【０００９】
本発明の課題は、用紙を両側からガイドするガイド部材を備えていても、これらを容易に着脱可能なプリンタを提供することである。
【課題を解決するための手段】
【００１０】
本発明は、以下のような解決手段により、前記課題を解決する。
請求項１の発明は、用紙が搬送される搬送路において、前記用紙の第１の面側をガイドする第１のガイド部材と、用紙が搬送される搬送路において、前記第１のガイド部材と対向する位置に配置され、前記用紙の第２の面側をガイドする第２のガイド部材と、を備え、前記第１のガイド部材及び前記第２のガイド部材は、前記用紙の搬送面に平行な方向であって、かつ、前記用紙の搬送方向に直交する方向である着脱方向に移動させることにより着脱自在に設けられていること、を特徴とするプリンタである。
【００１１】
請求項２の発明は、請求項１に記載のプリンタにおいて、前記第１のガイド部材及び前記第２のガイド部材は、前記着脱方向の一端側に、当該プリンタに対して係合する係合部を有し、他端側に、当該プリンタに対して固定される留め部が設けられていること、を特徴とするプリンタである。
【００１２】
請求項３の発明は、請求項２に記載のプリンタにおいて、前記留め部は、固定状態と固定解除状態とを工具を使わずに切り替え可能な操作部を備えていること、を特徴とするプリンタである。
【発明の効果】
【００１３】
本発明によれば、第１のガイド部材及び第２のガイド部材は、用紙の搬送面に平行な方向であって、かつ、用紙の搬送方向に直交する方向である着脱方向に移動させることにより着脱自在である。よって、周囲から紙詰まり箇所に手が届きにくく、紙詰まりの解消や清掃が困難であったような場所であっても、第１のガイド部材及び第２のガイド部材を容易に着脱可能であり、メンテナンスを簡単に行える。
【図面の簡単な説明】
【００１４】
【図１】本発明による熱転写式カラープリンタの実施形態の概略を示す概略図である。
【図２】図１中で一点鎖線により囲んだＡ部を拡大して示す拡大図である。
【図３】第１のガイド部材８１の斜視図である。
【図４】第１のガイド部材８１の側面図である。
【図５】図２の状態から第１のガイド部材８１を取り外した状態を示す拡大図である。
【図６】第２のガイド部材８２の斜視図である。
【図７】第２のガイド部材８２の側面図である。
【図８】図５の状態からさらに第２のガイド部材８２を取り外した状態を示す拡大図である。
【発明を実施するための形態】
【００１５】
以下、本発明を実施するための最良の形態について図面等を参照して説明する。
【００１６】
（実施形態）
図１は、本発明による熱転写式カラープリンタの実施形態の概略を示す概略図である。図１を含め以下に示す図中には、統一した方向に、ＸＹＺ直交座標を示している。なお、このＸＹＺは、単に方向を示すものであり、原点位置等の絶対的な位置を表すものではない。
また、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
また、以下の説明では、上下左右といった方向を示す文言を用いるが、これらは、各図中における上下左右を示すものである。したがって、媒体搬送機構等の設置される向きによっては、例えば、上下が以下の説明とは逆に配置されてもよい。
【００１７】
プリンタ１０は、台紙に仮着されたラベル、又は、タグ製造用の帯状のシート等の被印刷媒体（用紙）に印刷を行うための熱転写式カラープリンタであって、複数の異なる色のインクリボンを用いて、インクリボンのインクを用紙に転写することにより印刷を行う。以下においては、イエロー（Ｙ）、マゼンタ（Ｍ）、シアン（Ｃ）、ブラック（Ｂ）の４色のインクリボンを用いて用紙に印刷を行う場合を例にとって説明する。
【００１８】
図１に示すように、用紙１が、ロール状に巻回されたロール紙２として、プリンタ１０の筐体１４に設けられた用紙供給軸１１に回転可能に支持されている。用紙供給軸１１から引き出された用紙１は、駆動ローラ１２と加圧ローラ１３とにより挟持搬送される。
【００１９】
また、筐体１４には、用紙１の搬送方向上流側（図中右側）から搬送方向下流側（図中左側）に向けて、４種類のインクリボンカセット２０Ｙ，２０Ｍ，２０Ｃ，２０Ｂが装着されている。例えば、インクリボンカセット２０Ｙには、イエロー（Ｙ）のインクリボンが装填されている。インクリボンカセット２０Ｍには、マゼンタ（Ｍ）のインクリボンが装填されている。インクリボンカセット２０Ｃには、シアン（Ｃ）のインクリボンが装填されている。インクリボンカセット２０Ｂには、ブラック（Ｂ）のインクリボンが装填されている。
【００２０】
プリンタ１０の筐体１４内には、４種類のインクリボンカセット２０Ｙ〜２０Ｂに対応して、用紙の搬送方向に沿って、４つのプラテンローラ１５Ｙ，１５Ｍ，１５Ｃ，１５Ｂと、４つのサーマルヘッド１６Ｙ，１６Ｍ，１６Ｃ，１６Ｂとが配置されている。サーマルヘッド１６Ｙ〜１６Ｂは、インクリボンカセット２０Ｙ〜２０Ｂの内部にそれぞれ挿入される。また、サーマルヘッド１６Ｙ〜１６Ｂは、プラテンローラ１５Ｙ〜１５Ｂにそれぞれ対向して配置されている。
【００２１】
４種類のインクリボンカセット２０Ｙ〜２０Ｂの各々において、インクリボン２３が、インクリボン供給軸２１とインクリボン巻取り軸２２との間に架け渡されている。インクリボン巻取り軸２２は、筐体内に設けられたモータによって駆動されて回転する。
【００２２】
イエローのインクリボンカセット２０Ｙのインクリボン供給軸２１にロール状に巻回された状態で支持された未使用のインクリボン２３は、プラテンローラ１５Ｙとサーマルヘッド１６Ｙとの間に用紙１と共に供給され、転写後のインクリボン２３は、インクリボン巻取り軸２２によって巻取られる。
【００２３】
プラテンローラ１５Ｙは、用紙１の搬送路の幅方向側面の手前側（Ｚマイナス側）に設けられた手前側壁部材１７と、奥側（Ｚプラス側）に設けられた奥側壁部材１８とに支持されている。手前側壁部材１７及び奥側壁部材１８は、いずれも筐体１４に固定されており、金属の板材により形成されている。手前側壁部材１７は、インクリボンカセット２０Ｙ〜２０Ｂの着脱時にインクリボンカセット２０Ｙ〜２０Ｂの着脱経路を塞がないように高さが低く形成されている。一方、奥側壁部材１８は、インクリボンカセット２０Ｙ〜２０Ｂを支持したり、インクリボン巻取り軸２２を駆動する機構を支持したりするために、インクリボンカセット２０Ｙ〜２０Ｂと同程度の高さまで形成されている。プラテンローラ１５Ｙは、筐体内に設けられたモータによって駆動されて回転することにより、用紙１及びインクリボン２３を同一方向に同一速度で搬送する。
【００２４】
サーマルヘッド１６Ｙは、エネルギーが印加されることによって発熱する複数の微細な発熱体を幅方向に有している。発熱体にエネルギーを印加して発熱体を発熱させ、インクリボン２３のインクを加熱して用紙１に転写することにより、インクリボンカセット２０Ｙに装填されたイエローのインクリボンを用いた印刷が行われる。なお、発熱体にエネルギー（電力）を印加するためには、電圧源から発熱体に電圧を印加するようにしてもよいし、電流源から発熱体に電流を流すようにしてもよい。
【００２５】
プラテンローラ１５Ｍ〜１５Ｂもプラテンローラ１５Ｙと同様に構成され、サーマルヘッド１６Ｍ〜１６Ｂもサーマルヘッド１６Ｙと同様に構成されている。プラテンローラ１５Ｙの位置を通過した用紙１は、プラテンローラ１５Ｍ〜１５Ｂの位置を順次通過し、サーマルヘッド１６Ｍ〜１６Ｂによって、インクリボンカセット２０Ｍ〜２０Ｂにそれぞれ装填されたマゼンタ、シアン、ブラックのインクリボンを用いた印刷が順次行われる。印刷が完了した用紙１は、用紙排出口から排出される。
【００２６】
また、プリンタ１０は、入力部３０と、制御部４０と、表示部４５と、電源部７１とを有している。
【００２７】
入力部３０は、複数の操作キーを含んでおり、プリンタ１０を操作したり、プリンタ１０にカラー印刷データを入力したりするために用いられる。
【００２８】
制御部４０は、プラテンローラ１５Ｙ〜１５Ｂ及びインクリボン巻取り軸２２等を駆動する不図示のモータ、サーマルヘッド１６Ｙ〜１６Ｂ等の動作を制御する。
【００２９】
表示部４５は、エラーメッセージ等を表示するためのＬＣＤ（液晶表示）パネル又は複数のＬＥＤ（発光ダイオード）を含んでおり、制御部４０から供給される信号に基づいて各種の表示を行う。
【００３０】
電源部７１は、プラテンローラ１５Ｙ〜１５Ｂ及びインクリボン巻取り軸２２等を駆動する不図示のモータ、サーマルヘッド１６Ｙ〜１６Ｂ、制御部４０、表示部４５等に電力を供給する。
【００３１】
図２は、図１中で一点鎖線により囲んだＡ部を拡大して示す拡大図である。なお、図２では、インクリボンカセット及びインクリボンは、省略して示している。
【００３２】
プラテンローラ１５Ｙとプラテンローラ１５Ｍとの間には、用紙１の搬送経路を上下から（Ｙプラス側及びＹマイナス側から）挟むように、第１のガイド部材８１と、第２のガイド部材８２とが設けられている。
第１のガイド部材８１及び第２のガイド部材８２は、手前側が手前側壁部材１７に支持され、奥側が奥側壁部材１８に支持されている。
【００３３】
ヘッド移動レバー１９Ｍは、第１のガイド部材８１と、第２のガイド部材８２との上方に設けられている。ヘッド移動レバー１９Ｍは、不図示のヘッド移動機構に接続されている。このヘッド移動レバー１９Ｍを操作することにより、サーマルヘッド１６Ｍが印刷位置と退避位置との間で移動する。
【００３４】
図３は、第１のガイド部材８１の斜視図である。
図４は、第１のガイド部材８１の側面図である。
図５は、図２の状態から第１のガイド部材８１を取り外した状態を示す拡大図である。
第１のガイド部材８１は、用紙１が搬送される搬送路において、用紙１の表面側、すなわちＹプラス側（第１の面側）をガイドするために、用紙１の表面側に延在して設けられている。具体的には、第１のガイド部材８１は、用紙１の搬送面に平行な方向であって、かつ、用紙１の搬送方向に直交する方向、すなわち、図１及び図２中では、紙面奥行き方向（Ｚ方向）に延在している。
【００３５】
第１のガイド部材８１は、位置決め孔８１ａと、位置決め長孔８１ｂと、係合部８１ｃと、リボンカセットガイド部８１ｄと、ガイド面８１ｅと、側板部８１ｆと、留め部９１とを備えている。
【００３６】
位置決め孔８１ａは、側板部８１ｆにおいて搬送方向に直交する方向に貫通して設けられている。位置決め孔８１ａは、手前側壁部材１７において手前側に突出して設けられた位置決め突起１７ａと嵌合する。
【００３７】
位置決め長孔８１ｂは、側板部８１ｆにおいて搬送方向に直交する方向に貫通して設けられている。位置決め長孔８１ｂは、手前側壁部材１７において手前側に突出して設けられた位置決め突起１７ｂと嵌合する。
【００３８】
係合部８１ｃは、奥側の端部に奥側に突出して設けられている。係合部８１ｃは、奥側壁部材１８に設けられた係合孔１８ａに手前側から挿入されて、係合する。
【００３９】
リボンカセットガイド部８１ｄは、インクリボンカセット２０Ｍの着脱を行うときにガイドとなる部分であり、第１のガイド部材８１の上方（Ｙプラス側）に突出して、搬送方向に直交する方向に延在している。
【００４０】
ガイド面８１ｅは、第１のガイド部材８１の下方（Ｙマイナス側）において、搬送方向に直交する方向に延在して設けられており、用紙１をその表面側（Ｙプラス側）からガイドする。
【００４１】
側板部８１ｆは、ＸＹ平面方向に形成された壁状の部分であり、第２のガイド部材８２の側板部８２ｆに当接して、第１のガイド部材８１の搬送方向に直交する方向における位置を規制する。側板部８１ｆには、上述した、位置決め孔８１ａ及び位置決め長孔８１ｂの他に、留め部孔８１ｇが開口されている。
【００４２】
留め部９１は、側板部８１ｆに開口された留め部孔８１ｇに挿入されて設けられており、第１のガイド部材８１を手前側壁部材１７に対して固定された固定状態としたり、固定解除状態としたりできるように形成されている。本実施形態では、留め部９１としてナイラッチ（登録商標）を用いている。留め部９１は、操作部９１ａと、係止部９１ｂとを有している。
【００４３】
操作部９１ａは、第１のガイド部材８１の固定状態と固定解除状態とを工具を使わずに切り替えるときに手で操作される。操作部９１ａは、奥側へ押し込まれた状態が、固定状態の位置であり、手前側へ引っ張り出された状態が、固定解除状態の位置である。
【００４４】
係止部９１ｂは、操作部９１ａの位置に応じて、手前側壁部材１７に対して係止されたり、係止を解除されたりする。第１のガイド部材８１が手前側壁部材１７に取り付けられている状態では、係止部９１ｂは、手前側壁部材１７の係止孔１７ｃに挿入されている。そして、操作部９１ａが奥側へ押し込まれると、係止部９１ｂは、その外径が係止孔１７ｃの孔径よりも大きくなり、固定状態となる。一方、操作部９１ａが手前側へ引っ張り出されると、係止部９１ｂは、その外径が係止孔１７ｃの孔径よりも小さくなり、固定解除状態となる。操作部９１ａを手で操作して、固定解除状態とすれば、第１のガイド部材８１は、用紙１の搬送面に平行な方向であって、かつ、用紙１の搬送方向（Ｘ方向）に直交する方向である着脱方向（搬送方向に直交する方向）の手前側に移動させることにより、容易に取り外すことができる。また、取り外しと逆の動作を順次行えば、第１のガイド部材８１の装着も工具を用いずに容易に行える。
【００４５】
また、第１のガイド部材８１の着脱作業を行うときに、用紙１やインクリボン２３を取り外すことを必要としない。また、上方にあるヘッド移動レバー１９Ｍ及びそれに関連するヘッド移動機構等も第１のガイド部材８１の着脱作業の邪魔になることがない。
【００４６】
図６は、第２のガイド部材８２の斜視図である。
図７は、第２のガイド部材８２の側面図である。
図８は、図５の状態からさらに第２のガイド部材８２を取り外した状態を示す拡大図である。
第２のガイド部材８２は、用紙１が搬送される搬送路において、用紙１の裏面側、すなわちＹマイナス側（第２の面側）をガイドするために、用紙１の裏面側に延在して設けられている。具体的には、第２のガイド部材８２は、用紙１の搬送面に平行な方向であって、かつ、用紙１の搬送方向に直交する方向、すなわち、図１及び図２中では、搬送方向に直交する紙面奥行き方向に延在している。
【００４７】
第２のガイド部材８２は、位置決め孔８２ａと、位置決め長孔８２ｂと、係合部８２ｃと、貫通孔８２ｄと、ガイド面８２ｅと、側板部８２ｆと、留め部９２とを備えている。
【００４８】
位置決め孔８２ａは、側板部８２ｆにおいて搬送方向に直交する方向に貫通して設けられている。位置決め孔８２ａは、手前側壁部材１７において手前側に突出して設けられた位置決め突起１７ａと嵌合する。
【００４９】
位置決め長孔８２ｂは、側板部８２ｆにおいて搬送方向に直交する方向に貫通して設けられている。位置決め長孔８２ｂは、手前側壁部材１７において手前側に突出して設けられた位置決め突起１７ｂと嵌合する。
【００５０】
係合部８２ｃは、奥側の端部に奥側に突出して設けられている。係合部８２ｃは、奥側壁部材１８に設けられた係合孔１８ｂに手前側から挿入されて、係合する。
【００５１】
貫通孔８２ｄは、側板部８２ｆにおいて搬送方向に直交する方向に貫通して設けられている。貫通孔８２ｄは、第１のガイド部材８１の留め部９１が貫通する孔である。
【００５２】
ガイド面８２ｅは、第２のガイド部材８２の上方（Ｙプラス側）において、搬送方向に直交する方向に延在して設けられており、用紙１をその裏面側（Ｙマイナス側）からガイドする。
【００５３】
側板部８２ｆは、ＸＹ平面方向に形成された壁状の部分であり、手前側壁部材１７に当接して、第２のガイド部材８２の搬送方向に直交する方向における位置を規制する。側板部８２ｆには、上述した、位置決め孔８２ａ，位置決め長孔８２ｂ，貫通孔８２ｄの他に、留め部孔８２ｇが開口されている。
【００５４】
留め部９２は、側板部８２ｆに開口された留め部孔８２ｇに挿入されて設けられており、第２のガイド部材８２を手前側壁部材１７に対して固定された固定状態としたり、固定解除状態としたりできるように形成されている。本実施形態では、留め部９２としてナイラッチ（登録商標）を用いている。留め部９２は、操作部９２ａと、係止部９２ｂとを有している。
【００５５】
操作部９２ａは、第２のガイド部材８２の固定状態と固定解除状態とを工具を使わずに切り替えるときに手で操作される。操作部９２ａは、奥側へ押し込まれた状態が、固定状態の位置であり、手前側へ引っ張り出された状態が、固定解除状態の位置である。
【００５６】
係止部９２ｂは、操作部９２ａの位置に応じて、手前側壁部材１７に対して係止されたり、係止を解除されたりする。第２のガイド部材８２が手前側壁部材１７に取り付けられている状態では、係止部９２ｂは、手前側壁部材１７の係止孔１７ｄに挿入されている。そして、操作部９２ａが奥側へ押し込まれると、係止部９２ｂは、その外径が係止孔１７ｄの孔径よりも大きくなり、固定状態となる。一方、操作部９２ａが手前側へ引っ張り出されると、係止部９２ｂは、その外径が係止孔１７ｄの孔径よりも小さくなり、固定解除状態となる。操作部９２ａを手で操作して、固定解除状態とすれば、第２のガイド部材８２は、用紙１の搬送面に平行な方向であって、かつ、用紙１の搬送方向（Ｘ方向）に直交する方向である着脱方向（搬送方向に直交する方向）の手前側に移動させることにより、容易に取り外すことができる。また、取り外しと逆の動作を順次行えば、第２のガイド部材８２の装着も工具を用いずに容易に行える。
【００５７】
また、第１のガイド部材８１と同様に、第２のガイド部材８２の着脱作業を行うときに、用紙１やインクリボン２３を取り外すことを必要としない。また、上方にあるヘッド移動レバー１９Ｍ及びそれに関連するヘッド移動機構等も第２のガイド部材８２の着脱作業の邪魔になることがない。
【００５８】
上述した第１のガイド部材８１及び第２のガイド部材８２は、プラテンローラ１５Ｙとプラテンローラ１５Ｍとの間の他にも、搬送路の下流側において設けられている。具体的には、第１のガイド部材８１及び第２のガイド部材８２は、プラテンローラ１５Ｍとプラテンローラ１５Ｃとの間、及び、プラテンローラ１５Ｃとプラテンローラ１５Ｂとの間にも、プラテンローラ１５Ｙとプラテンローラ１５Ｍと同様に設けられている。これらの部分に設けられた第１のガイド部材８１及び第２のガイド部材８２の構成は、上述したプラテンローラ１５Ｙとプラテンローラ１５Ｍとの間における構成と同様なので、詳細な説明は省略する。
【００５９】
以上説明したように、本実施形態によれば、用紙１を上側からガイドする第１のガイド部材８１と、下側からガイドする第２のガイド部材８２とを設け、いずれも、工具を用いることなく着脱が自在なように構成した。よって、これら第１のガイド部材８１及び第２のガイド部材８２の着脱を容易に行うことができる。また、第１のガイド部材８１及び第２のガイド部材８２は、留め部９１及び留め部９２を固定解除状態の位置に移動させれば、全体を搬送方向に直交する方向に移動させるだけで簡単に着脱を行える。したがって、用紙１やインクリボン２３等を取り外さずに第１のガイド部材８１及び第２のガイド部材８２を取り外して、用紙詰まりの解消や清掃を簡単に行える。また、周囲から紙詰まり箇所に手が届きにくく、紙詰まりの解消や清掃が困難であったような場所であっても、メンテナンスを簡単に行える。
また本実施形態によれば、構造を複雑化することなく簡単な構造としたので、サーマルヘッド及びプラテンローラを備えた印字部と印字部との間を極力短くすることができる。
【００６０】
（変形形態）
以上説明した実施形態に限定されることなく、種々の変形や変更が可能であって、それらも本発明の範囲内である。
【００６１】
例えば、本実施形態において、プリンタ１０は、４種類のインクリボンカセット２０Ｙ〜２０Ｂに対応するものを挙げて説明した。これに限らず、例えば、１種類のインクリボンカセットのみを用いるプリンタであってもよいし、インクリボンを用いない他の種類のプリンタであってもよい。
【００６２】
また、本実施形態において、留め部にナイラッチ（登録商標）を用いる例を挙げて説明した。これに限らず、例えば、手前側壁部材に形成された楕円形状等の異形の孔形状と、これに対応した雄型形状の操作部とを組み合わせて、操作部を回転させることにより、固定状態と固定解除状態とを切り替えるようにしてもよい。
【００６３】
なお、実施形態及び変形形態は、適宜組み合わせて用いることもできるが、詳細な説明は省略する。また、本発明は以上説明した各実施形態によって限定されることはない。
【符号の説明】
【００６４】
１      用紙
２      ロール紙
１０    プリンタ
１１    用紙供給軸
１４    筐体
１５Ｂ，１５Ｃ，１５Ｍ，１５Ｙ  プラテンローラ
１６Ｂ，１６Ｃ，１６Ｍ，１６Ｙ  サーマルヘッド
１７    手前側壁部材
１７ａ，１７ｂ  位置決め突起
１７ｃ，１７ｄ  係止孔
１８    奥側壁部材
１８ａ，１８ｂ  係合孔
２０Ｂ，２０Ｃ，２０Ｍ，２０Ｙ  インクリボンカセット
２１    インクリボン供給軸
２２    インクリボン巻取り軸
２３    インクリボン
８１    第１のガイド部材
８１ａ  位置決め孔
８１ｂ  位置決め長孔
８１ｃ  係合部
８１ｄ  リボンカセットガイド部
８１ｅ  ガイド面
８１ｆ  側板部
８１ｇ  留め部孔
８２    第２のガイド部材
８２ａ  位置決め孔
８２ｂ  位置決め長孔
８２ｃ  係合部
８２ｄ  貫通孔
８２ｅ  ガイド面
８２ｆ  側板部
８２ｇ  留め部孔
９１，９２  留め部
９１ａ，９２ａ  操作部
９１ｂ，９２ｂ  係止部
【図１】
2013156505.tif 000003
【図２】
2013156505.tif 000004
【図３】
2013156505.tif 000005
【図４】
2013156505.tif 000006
【図５】
2013156505.tif 000007
【図６】
2013156505.tif 000008
【図７】
2013156505.tif 000009
【図８】
2013156505.tif 000010